(57)【要約】【課題】グリップ時の良好なフィット感を維持しつつ、ホールド感も向上するスポーツ用手袋を提供する。【課題の解決手段】スポーツ用手袋１は、手甲部２の少なくとも一部を伸縮性素材で形成し、伸縮性素材の少なくとも一部を被覆するように伸縮性素材の伸縮率よりも小さい伸縮率の帯状の伸張抑制片１０ａ，１０ｂ，１０ｃ，１０ｄを、人指し指部５、中指部６、薬指部７、小指部８の基節骨対応部５ａ，６ａ，７ａ，８ａに沿うようそれぞれ各別に配置し、各両端のみを手甲部２側に縫着して各中央部分は前記手甲部２に対して浮いた状態とし、グリップ時に手甲部２が必要以上に伸張するのを抑制する。【選択図】    図１
0003212897.tif 000002
【実用新案登録請求の範囲】
【請求項１】
手袋の手甲部の少なくとも一部を伸縮性素材で形成し、前記伸縮性素材の少なくとも一部を被覆するように前記伸縮性素材の伸縮率よりも小さい伸縮率の帯状の伸張抑制片を、人指し指部、中指部、薬指部、小指部の基節骨対応部に沿うようそれぞれ各別に配置し、各両端のみを前記手甲部側に縫着して各中央部分は前記手甲部に対して浮いた状態としたことを特徴とするスポーツ用手袋。
【請求項２】
前記伸張抑制片は、各上端を各指部の近位指節間関節対応部の下に縫着する一方、各下端は前記手甲部の中手骨対応部に縫着することを特徴とする請求項１記載のスポーツ用手袋。
【請求項３】
前記中指部、前記薬指部、前記小指部の前記各伸張抑制片は、各上端を所定長にわたって縫着することを特徴とする請求項２記載のスポーツ用手袋。
【考案の詳細な説明】
【技術分野】
【０００１】
本考案は、ゴルフや野球などのグリップ時の良好なフィット感が求められるスポーツ用の手袋に関する。
【背景技術】
【０００２】
従来のこの種手袋では、伸縮性素材を用いてフィット感の向上を図っているが、特にグリップ時に手の動きの自由度を上げるために、手甲側に伸縮性素材を用いている。前記自由度を上げるためには、伸縮性素材の伸縮率は大きいことが望まれるが、伸縮率が大きいと縦横に伸びすぎて、グリップ時のホールド性が劣ってしまうという欠点がある。この欠点を解消するものとして、伸縮性素材の一部に重なるように過伸張防止部材を設けることが提案されている（特許文献１）。
【先行技術文献】
【特許文献】
【０００３】
【特許文献１】特許第３６７７４２０号公報
【考案の概要】
【考案が解決しようとする課題】
【０００４】
ところが、上記提案のスポーツ用手袋は、過伸張防止部材を手甲部に伸縮性素材部分にも及ぶように全体的に縫着しているので、伸縮性素材における前記過伸張防止部材を縫着した部分と他の部分とのフィット感が異なり、グリップ時に違和感を生じてしまうという不都合を有している。本考案は、この不都合を解消した、スポーツ用手袋を提供することを目的とする。
【課題を解決するための手段】
【０００５】
この目的を達成するため、本考案に係るスポーツ用手袋は、手袋の手甲部の少なくとも一部を伸縮性素材で形成し、前記伸縮性素材の少なくとも一部を被覆するように前記伸縮性素材の伸縮率よりも小さい伸縮率の帯状の伸張抑制片を、人指し指部、中指部、薬指部、小指部に基節骨対応部に沿うようそれぞれ各別に配置し、各両端のみを前記手甲部側に縫着して各中央部分は前記手甲部に対して浮いた状態としたものである。
【０００６】
また、前記伸張抑制片は、各上端を各指部の近位指節間関節対応部の下に縫着する一方、各下端は前記手甲部の中手骨対応部に縫着すると好適である。さらに、中指部、薬指部、小指部の前記伸張抑制片は、各上端を所定長にわたって縫着すると好適である。
【考案の効果】
【０００７】
本考案に係るスポーツ用手袋によれば、手甲部における伸縮性素材の伸びすぎをこれより伸縮率が小さい伸張抑制片で抑制できるとともに、各伸張抑制片の両端のみを手甲部に縫着して中央部分は浮いた状態とすることによって、伸縮性素材の過度の抑制を防止して、各伸張抑制片を設けた部分の違和感を解消し、グリップ時の良好なフィット感を維持しつつ、ホールド感も向上するという効果を奏する。また、前記伸張抑制片の各上端を各指部の近位指節間関節対応部の下に縫着する一方、各下端は前記手甲部の中手骨対応部に縫着すると、グリップ時のフィット感及びホールド感が一層向上するという効果を奏する。さらに、中指部、薬指部、小指部の伸張抑制片の各上端を所定長にわたって縫着すると、伸張抑制作用がより一層向上するという効果を奏する。
【図面の簡単な説明】
【０００８】
【図１】本発明をゴルフ用手袋に適用した実施形態の手の甲側を示す斜視図。
【図２】同じく掌側を示す斜視図。
【図３】手の骨格を示す概略説明図。
【考案を実施するための形態】
【０００９】
以下、本考案の好適な実施形態を添付図面に基づいて説明する。図１及び図２に示すように、ゴルフ用手袋１は、手甲部２、掌部３、親指部４、人指し指部５、中指部６、薬指部７、子指部８と、装着時には開放し、装着後には裏面側の面ファスナーで甲側に縫着して手首側を締める装着ベルト９を備えている。そして、親指部４を除いた甲側の全体を伸縮性素材で形成している。
【００１０】
図１において、５ａ，６ａ，７ａ，８ａは使用者の各基節骨に対応する基節骨対応部、５ｂ，６ｂ，７ｂ，８ｂは使用者の各近位指節間関節に対応する近位指節間関節対応部、５ｃ，６ｃ，７ｃ，８ｃは使用者の各中手骨に対応する中手骨対応部である（図３参照）。
【００１１】
甲側の伸縮性素材の伸縮率よりも小さい伸縮率を有する帯状の伸張抑制片１０ａ，１０ｂ，１０ｃ，１０ｄを、人指し指部５、中指部６、薬指部７、小指部８に各基節骨対応部５ａ，６ａ，７ａ，８ａに沿うようそれぞれ配置し、前記各伸張抑制片１０ａ，１０ｂ，１０ｃ，１０ｄの各上端を各指部５，６，７，８の近位指節間関節対応部５ｂ，６ｂ，７ｂ，８ｂの下に縫着する一方、各下端は各中手骨対応部５ｃ，６ｃ，７ｃ，８ｃに縫着している。
【００１２】
そして、中指部６、薬指部７、小指部８の各伸張抑制片１０ｂ，１０ｃ，１０ｄは、図には明確に示してはいないが、各上端を基節骨対応部５ａ，６ａ，７ａ，８ａの近位指節間関節対応部５ｂ，６ｂ，７ｂ，８ｂ側ほぼ半分を占める範囲にわたって各周縁部を縫着している。このように、各伸張抑制片１０ａ，１０ｂ，１０ｃ，１０ｄは、両端のみを縫着することにより、各中央部分は手甲部２に対して浮いた状態となり、前記手甲部２に対して互いにフリー状態となっている。
【００１３】
以上のように構成したゴルフ用手袋１は、グリップ時に、手甲部２の縦横方向への必要以上の伸張を、手甲部２よりも伸縮率の小さい各伸張抑制片１０ａ，１０ｂ，１０ｃ，１０ｄで抑制して、フィット感を損なうことなく、ホールド感を高めることができる。この際、各伸張抑制片１０ａ，１０ｂ，１０ｃ，１０ｄは、人指し指部５、中指部６、薬指部７、小指部８の各基節骨対応部５ａ，６ａ，７ａ，８ａに沿うよう、各中央部分は手甲部２に対して浮いた状態で両端を縫着されているので、各指部５，６，７，８のそれぞれの伸張度合いに対応して各指部５，６，７，８毎に適切な抑制をすることができる。
【００１４】
なお、本考案は上述の実施形態に限定されるものではなく、例えば、伸縮率の大きな伸縮性素材は、手袋１の甲側全体、すなわち、各指部４，５，６，７，８の甲側全体と手甲部２の全体に及ぶよう設けるほか、近位指節間関節対応部５ｂ，６ｂ，７ｂ，８ｂと手甲部２の一部にのみ設けることもできる。また、ゴルフ用手袋以外に、野球用やモータースポーツ用等のグリップが重要視される手袋に適用することができる。
【符号の説明】
【００１５】
１      ゴルフ用手袋
２      手甲部
３      掌部
４      親指部
５      人指し指部
６      中指部
７      薬指部
８      子指部
５ａ，６ａ，７ａ，８ａ      基節骨対応部
５ｂ，６ｂ，７ｂ，８ｂ      近位指節間関節対応部
５ｃ，６ｃ，７ｃ，８ｃ      中手骨対応部
９      装着ベルト
１０ａ，１０ｂ，１０ｃ，１０ｄ      伸張抑制片
【図１】
0003212897.tif 000003
【図２】
0003212897.tif 000004
【図３】
0003212897.tif 000005